(57)【要約】【課題】白色画素を含む表示装置およびその駆動方法を提供する。【解決手段】本発明による表示装置は、複数の着色画素および白色画素を含み、前記複数の着色画素および前記白色画素は少なくとも一つのスイッチング素子を含み、前記複数の着色画素それぞれと前記白色画素は一つの第１領域を中心に隣接して配置されており、前記少なくとも一つのスイッチング素子は前記第１領域に集まって位置する。【選択図】    図８
2016126337.tif 000002
【特許請求の範囲】
【請求項１】
複数の着色画素および白色画素を含み、
前記複数の着色画素および前記白色画素は、少なくとも一つのスイッチング素子を含み、
前記複数の着色画素と前記白色画素は、これら全体で一つの中心を有するように互いに隣接して配置されており、
前記少なくとも一つのスイッチング素子は、前記一つの中心近くに集まって位置する
ことを特徴とする表示装置。
【請求項２】
前記少なくとも一つのスイッチング素子と接続されている少なくとも一つのゲート線および少なくとも一つのデータ線をさらに含み、
前記複数の着色画素と前記白色画素は、四角形行列形態に配置されており、
前記少なくとも一つのゲート線は全て、前記四角形行列の第１行および第２行の間を伸び、
前記少なくとも一つのデータ線は全て、前記四角形行列の第１列および第２列の間を伸びる
ことを特徴とする請求項１に記載の表示装置。
【請求項３】
前記少なくとも一つのスイッチング素子は、前記複数の着色画素および前記白色画素それぞれに含まれている複数のスイッチング素子を含むことを特徴とする請求項２に記載の表示装置。
【請求項４】
前記複数の着色画素および前記白色画素は、一つのスイッチング素子を通じて前記ゲート線および前記データ線に接続されていることを特徴とする請求項２に記載の表示装置。
【請求項５】
複数のビッグドットを含み、
前記ビッグドットは、四角形行列形態に配置されている第１ビッグ画素、第２ビッグ画素、第３ビッグ画素、そして第４ビッグ画素を含み、
前記第１ビッグ画素は、第１色を示す二つの第１着色画素、第２色を示す一つの第２着色画素、そして第３色を示す一つの第３着色画素を含み、
前記第２ビッグ画素は、二つの前記第２着色画素、一つの前記第１着色画素、及び一つの前記第３着色画素を含み、
前記第３ビッグ画素は、二つの前記第３着色画素、一つの前記第１着色画素、及び一つの前記第２着色画素を含むことを特徴とする表示装置。
【請求項６】
前記第４ビッグ画素は、一つの前記第１着色画素、一つの前記第２着色画素、一つの前記第３着色画素、及び白色を示す一つの白色画素を含むことを特徴とする請求項５に記載の表示装置。
【請求項７】
前記第１ビッグ画素が含む一つの前記第１着色画素、前記第２ビッグ画素が含む一つの前記第２着色画素、前記第３ビッグ画素が含む一つの前記第３着色画素、そして前記第４ビッグ画素が含む前記白色画素は、互いに隣接しており、四角形行列形態に配置されて融合ビッグ画素を成すことを特徴とする請求項６に記載の表示装置。
【請求項８】
前記第１ビッグ画素において、
前記二つの第１着色画素は、第１対角線方向に配置されており、
前記第２着色画素および前記第３着色画素は、前記第１対角線方向と反対方向の第２対角線方向に配置されていることを特徴とする請求項７に記載の表示装置。
【請求項９】
前記第２ビッグ画素において、
前記二つの第２着色画素は、第１対角線方向に配置されており、
前記第１着色画素および前記第３着色画素は、前記第１対角線方向と反対方向の第２対角線方向に配置されていることを特徴とする請求項７に記載の表示装置。
【請求項１０】
前記第３ビッグ画素において、
前記二つの第３着色画素は、第１対角線方向に配置されており、
前記第１着色画素および前記第２着色画素は、前記第１対角線方向と反対方向の第２対角線方向に配置されていることを特徴とする請求項７に記載の表示装置。
【発明の詳細な説明】
【技術分野】
【０００１】
本発明は表示装置およびその駆動方法に関するものであって、特に白色画素を含む表示装置およびその駆動方法に関するものである。
【背景技術】
【０００２】
液晶表示装置（ｌｉｑｕｉｄ  ｃｒｙｓｔａｌ  ｄｉｓｐｌａｙａｙ、ＬＣＤ）、有機発光表示装置（ｏｒｇａｎｉｃ  ｌｉｇｈｔ  ｅｍｉｔｔｉｎｇ  ｄｉｏｄｅ  ｄｉｓｐｌａｙ）などの表示装置は、一般にスイッチング素子を含む複数の画素および複数の信号線が備えられた表示板、階調基準電圧を生成する階調電圧生成部、そして階調基準電圧を用いて複数の階調電圧を生成し、生成された階調電圧のうちの映像信号に該当する階調電圧をデータ信号としてデータ線に印加するデータ駆動部などを含む。
【０００３】
各画素は、少なくとも一つのスイッチング素子およびこれと接続されている光学変換素子を含む。光学変換素子は、例えば、液晶表示装置の場合、液晶キャパシタを含んでもよく、例えば、有機発光表示装置の場合、有機発光素子を含んでもよい。光学変換素子は、スイッチング素子と接続されてデータ電圧の印加を受ける画素電極、共通電圧の印加を受ける共通電極、そしてその間に位置する光学変換層を含んでもよい。光学変換層は、例えば、液晶表示装置の場合、液晶層を含んでもよく、例えば、有機発光表示装置の場合、有機発光層を含んでもよい。
【０００４】
画素電極は、行列形態に配列され、この場合、薄膜トランジスタ（ＴＦＴ）などのスイッチング素子に接続されて一行ずつ順次にデータ電圧の印加を受けてもよい。
【０００５】
表示装置は、映像信号によるデータ電圧を生成し、画素電極および共通電極にそれぞれデータ電圧および共通電圧を印加して光学変換素子を通じて映像を表示することができる。
【０００６】
フルカラーを示すために複数の画素は赤色、緑色および青色などの基本色を示す着色画素、例えば赤色画素、緑色画素および青色画素などを含むことができる。赤色画素、緑色画素および青色画素はそれぞれの基本色を示して多様な色を示すことができる。
【０００７】
しかし、着色画素のみで映像を表示する場合、映像の輝度が低下することがある。特に液晶表示装置の場合、赤色画素、緑色画素および青色画素は着色フィルタを含むので、バックライトユニットから出射された光量がカラーフィルタを通すことで減少し、映像の輝度が低下することがある。このような問題点を解決するために、表示装置は三原色などの基本色を示す着色画素以外に白色光を出射できる白色画素をさらに含むこともある。例えば、液晶表示装置の場合、白色画素はカラーフィルタを含まないので、映像の輝度を高めることができる。
【０００８】
表示装置が赤色画素、緑色画素および青色画素などの着色画素以外に白色画素をさらに含む場合、それによって白色画素と接続されている信号線および薄膜トランジスタなどがさらに追加される。したがって、追加される信号線および薄膜トランジスタなどによって画素の開口率または透過率が低くなることがある。
【発明の概要】
【発明が解決しようとする課題】
【０００９】
従って、本発明が解決しようとする課題は、赤色画素、緑色画素および青色画素などの着色画素と白色画素を含む表示装置において、信号線および薄膜トランジスタなどを効果的に配置して光が透過できる有効面積を増加させ表示装置の透過率を高めることである。
本発明が解決しようとする他の課題は、赤色画素、緑色画素および青色画素などの着色画素と白色画素を含む表示装置が、表現しようとする解像度、周辺の明るさ、映像の種類などの多様な条件に合わせて多様な解像度および多様な輝度の映像を表示することができるようにすることである。
【００１０】
本発明が解決しようとする他の課題は、赤色画素、緑色画素および青色画素などの着色画素と白色画素を含む表示装置が表示するホワイトの色座標を容易に調節することである。
【課題を解決するための手段】
【００１１】
本発明の一実施形態による表示装置は、複数の着色画素および白色画素を含み、複数の着色画素および前記白色画素は少なくとも一つのスイッチング素子を含み、複数の着色画素それぞれと白色画素は一つの第１領域を中心に隣接して配置されており、少なくとも一つのスイッチング素子は第１領域に集まって位置する。
【００１２】
少なくとも一つのスイッチング素子と接続されている少なくとも一つのゲート線および少なくとも一つのデータ線をさらに含み、複数の着色画素と白色画素は四角形行列形態に配置されており、少なくとも一つのゲート線は全て四角形行列の第１行および第２行の間を伸び、少なくとも一つのデータ線は全て四角形行列の第１列および第２列の間を伸びる。
【００１３】
少なくとも一つのスイッチング素子は、複数の着色画素および白色画素それぞれに含まれている複数のスイッチング素子を含んでもよい。
【００１４】
複数の着色画素および白色画素は、一つのスイッチング素子を通じてゲート線および前記データ線に接続されていてもよい。
【００１５】
本発明の一実施形態による表示装置は複数のビッグドットを含み、ビッグドットは四角形行列形態に配置されている第１ビッグ画素、第２ビッグ画素、第３ビッグ画素、そして第４ビッグ画素を含み、第１ビッグ画素は第１色を示す二つの第１着色画素、第２色を示す一つの第２着色画素、そして第３色を示す一つの第３着色画素を含み、第２ビッグ画素は二つの第２着色画素、一つの前記第１着色画素、そして一つの前記第３着色画素を含み、第３ビッグ画素は二つの第３着色画素、一つの前記第１着色画素、そして一つの第２着色画素を含む。
【００１６】
前記第４ビッグ画素は、一つの第１着色画素、一つの第２着色画素、一つの前記第３着色画素、そして白色を示す一つの白色画素を含んでもよい。
【００１７】
第１ビッグ画素が含む一つの第１着色画素、第２ビッグ画素が含む一つの第２着色画素、第３ビッグ画素が含む一つの第３着色画素、そして第４ビッグ画素が含む白色画素は互いに隣接しており四角形行列形態に配置されて融合ビッグ画素を成すことができる。
【００１８】
第１ビッグ画素において、二つの第１着色画素は第１対角線方向に配置されており、第２着色画素および第３着色画素は第１対角線方向と反対方向の第２対角線方向に配置されていてもよい。
【００１９】
第２ビッグ画素において、二つの第２着色画素は第１対角線方向に配置されており、第１着色画素および第３着色画素は第１対角線方向と反対方向の第２対角線方向に配置されていてもよい。
【００２０】
第３ビッグ画素において、二つの第３着色画素は第１対角線方向に配置されており、第１着色画素および第２着色画素は第１対角線方向と反対方向の第２対角線方向に配置されていてもよい。
【００２１】
第４ビッグ画素において、白色画素と第１着色画素は第１対角線方向に配置されており、第２着色画素および第３着色画素は第１対角線方向と反対方向の第２対角線方向に配置されていてもよい。第１色は赤色、第２色は緑色、第３色は青色であってもよい。
【００２２】
本発明の一実施形態による表示装置の駆動方法は、四角形行列形態に配置されている第１ビッグ画素、第２ビッグ画素、第３ビッグ画素、そして第４ビッグ画素を含むビッグドットを含み、第１ビッグ画素は第１色を示す二つの第１着色画素、第２色を示す一つの第２着色画素、そして第３色を示す一つの第３着色画素を含み、第２ビッグ画素は二つの第２着色画素、一つの前記第１着色画素、そして一つの第３着色画素を含み、前記第３ビッグ画素は二つの前記第３着色画素、一つの第１着色画素、そして一つの第２着色画素を含む表示装置において、一つの映像信号に対して第１ビッグ画素が映像信号の第１色を表示する段階、一つの映像信号に対して第２ビッグ画素が映像信号の第２色を表示する段階、そして一つの映像信号に対して第３ビッグ画素が映像信号の第３色を表示する段階を含む。
【００２３】
第４ビッグ画素が白色を表示する段階をさらに含むことができる。
第１ビッグ画素が第１色を表示する段階で第１ビッグ画素が含む前記二つの第１着色画素のうちの少なくとも一つが点灯され、第２ビッグ画素が第２色を表示する段階で第２ビッグ画素が含む二つの第２着色画素のうちの少なくとも一つが点灯され、第３ビッグ画素が第３色を表示する段階で第３ビッグ画素が含む二つの第３着色画素のうちの少なくとも一つが点灯される。
【００２４】
第４ビッグ画素は一つの第１着色画素、一つの第２着色画素、一つの第３着色画素、そして白色を示す一つの白色画素を含み、第４ビッグ画素が白色を表示する段階で、第４ビッグ画素が含む白色画素または第１乃至第３着色画素が点灯される。
【００２５】
本発明の一実施形態による表示装置の駆動方法は、四角形行列形態に配置されている第１ビッグ画素、第２ビッグ画素、第３ビッグ画素、そして第４ビッグ画素を含むビッグドットを含み、第１ビッグ画素は第１色を示す二つの第１着色画素、第２色を示す一つの第２着色画素、そして第３色を示す一つの第３着色画素を含み、第２ビッグ画素は二つの第２着色画素、一つの第１着色画素、そして一つの第３着色画素を含み、第３ビッグ画素は二つの第３着色画素、一つの第１着色画素、そして一つの第２着色画素を含む表示装置において、ビッグドットが複数の映像信号に対応する複数の映像を表示する段階を含み、複数の映像はビッグドットが含む複数のドットを通じてそれぞれ表示される。
複数のドットそれぞれは、一つの第１着色画素、一つの第２着色画素、そして一つの第３着色画素を含んでもよい。
【００２６】
第４ビッグ画素は白色を示す一つの白色画素を含み、複数のドットのうちの一つのドットは白色画素をさらに含んでもよい。
第４ビッグ画素は白色を示す一つの白色画素を含み、複数の映像が複数のドットを通じてそれぞれ表示されるときに白色画素が点灯される。
【発明の効果】
【００２７】
本発明の実施形態によれば、赤色画素、緑色画素および青色画素などの着色画素と白色画素を含む表示装置において信号線および薄膜トランジスタなどを効果的に配置して光が透過できる有効面積を増加させ表示装置の透過率を高めることができる。
【００２８】
また、赤色画素、緑色画素および青色画素などの着色画素と白色画素を含む表示装置が表現しようとする解像度、周辺の明るさ、映像の種類などの多様な条件に合わせて多様な解像度および多様な輝度の映像を表示することができる。
【００２９】
また、赤色画素、緑色画素および青色画素などの着色画素と白色画素を含む表示装置が表示するホワイトの色座標を容易に調節して表示品質を高めることができる。
【図面の簡単な説明】
【００３０】
【図１】本発明の一実施形態による表示装置の概略的な配置図である。
【図２】本発明の一実施形態による表示装置が含む複数の画素の配置図である。
【図３】本発明の一実施形態による表示装置が含む複数の画素および信号線の配置図である。
【図４】本発明の一実施形態による表示装置が含む複数の画素およびこれと接続された信号線およびスイッチング素子の配置図である。
【図５】本発明の一実施形態による表示装置が含む複数の画素および信号線の配置図である。
【図６】本発明の一実施形態による表示装置が含む複数の画素およびこれと接続された信号線およびスイッチング素子の配置図である。
【図７】本発明の一実施形態による表示装置が含む複数の画素およびこれと接続された信号線およびスイッチング素子の配置図である。
【図８】本発明の一実施形態による表示装置が含む複数の画素の配置図である。
【図９】本発明の一実施形態による表示装置が含む複数の画素の配置図である。
【図１０】本発明の一実施形態による表示装置のビッグドットが一つの映像を表示する時に駆動される画素の例を示す配置図である。
【図１１】本発明の一実施形態による表示装置のビッグドットが一つの映像を表示する時に駆動される画素の例を示す配置図である。
【図１２】本発明の一実施形態による表示装置のビッグドットが一つの映像を表示する時に駆動される画素の例を示す配置図である。
【図１３】本発明の一実施形態による表示装置のビッグドットが一つの映像を表示する時に駆動される画素の例を示す配置図である。
【図１４】本発明の一実施形態による表示装置のビッグドットが一つの映像を表示する時に駆動される画素の例を示す配置図である。
【図１５】本発明の一実施形態による表示装置のビッグドットが一つの映像を表示する時に駆動される画素の例を示す配置図である。
【図１６】本発明の一実施形態による表示装置のビッグドットが複数の映像を表示する時に駆動される画素の例を示す配置図である。
【図１７】本発明の一実施形態による表示装置のビッグドットが複数の映像を表示する時に駆動される画素の例を示す配置図である。
【図１８】本発明の一実施形態による表示装置のビッグドットが複数の映像を表示する時に駆動される画素の例を示す配置図である。
【図１９】本発明の一実施形態による表示装置のビッグドットが複数の映像を表示する時に駆動される画素の例を示す配置図である。
【図２０】本発明の一実施形態による表示装置のビッグドットが複数の映像を表示する時に駆動される画素の例を示す配置図である。
【発明を実施するための形態】
【００３１】
以下、添付した図面を参照して本発明の実施形態について本発明が属する技術分野における通常の知識を有する者が容易に実施できるように詳しく説明する。しかし、本発明は様々の相違した形態に実現することができ、ここで説明する実施形態に限定されない。
【００３２】
図面において様々な層および領域を明確に表現するために厚さを拡大して示した。明細書全体にわたって類似の部分については同一の図面符号を付けた。層、膜、領域、板などの部分が他の部分の“上”にあるという時、これは他の部分の“直上”にある場合だけでなく、その中間に他の部分がある場合も含む。逆に、ある部分が他の部分の“直上”にあるという時は中間に他の部分がないことを意味する。
【００３３】
本発明を明確に説明するために説明上不必要な部分は省略し、明細書全体にわたって同一または類似の構成要素については同一の参照符号を付けるようにする。明細書全体で、ある部分が他の部分と“接続”されているという時、これは“直接的に接続”されている場合だけでなく、その中間に他の素子を挟んで“電気的に接続”されている場合も含む。また、ある部分がある構成要素を“含む‘という時、これは特に反対になる記載がない限り、他の構成要素を除くのではなく他の構成要素をさらに含むことができるのを意味する。
【００３４】
まず、図１および図２を参照して本発明の一実施形態による表示装置について説明する。図１は本発明の一実施形態による表示装置の概略的な配置図であり、図２は本発明の一実施形態による表示装置が含む複数の画素の配置図である。
【００３５】
図１に示すように、本発明の一実施形態による表示装置は、表示パネル１と、その後に位置するバックライトユニット９００を含んでもよい。バックライトユニット９００は、光を発光するバックライト（図示せず）、および光学特性を改善するための少なくとも一つの光学フィルム（図示せず）を含むことができる。
【００３６】
表示パネル１は、映像を表示する領域である表示領域ＤＡと、その周辺に位置する周辺領域ＰＡを含む。表示領域ＤＡには、複数の信号線ＧＬ１、ＧＬ２、・・・、ＧＬｎ、ＤＬ１、ＤＬ２、・・・、ＤＬｍと、これに接続されている複数の画素ＰＸを含む。
【００３７】
信号線ＧＬ１、ＧＬ２、・・・、ＧＬｎ、ＤＬ１、ＤＬ２、・・・、ＤＬｍは、ゲート信号を伝達する複数のゲート線ＧＬ１、ＧＬ２、・・・、ＧＬｎと、データ電圧を伝達する複数のデータ線ＤＬ１、ＤＬ２、・・・、ＤＬｍを含むことができる。ゲート線ＧＬ１、ＧＬ２、・・・、ＧＬｎは主に横方向に伸び、データ線ＤＬ１、ＤＬ２、・・・、ＤＬｍは主に縦方向に伸びてゲート線ＧＬ１、ＧＬ２、・・・、ＧＬｎと交差する。複数の画素ＰＸはほぼ行列形態に配列されていてもよいが、これに限定されない。
【００３８】
図２に示すように、複数の画素ＰＸは、複数の着色画素ＰＸ＿１、ＰＸ＿２、ＰＸ＿３および白色画素ＰＸ＿Ｗを含む。
複数の着色画素ＰＸ＿１、ＰＸ＿２、ＰＸ＿３は、赤色、緑色および青色の三原色または四原色などの基本色（ｐｒｉｍａｒｙ  ｃｏｌｏｒ）のうちの一つを表示することができる。基本色は赤色、緑色、および青色の三原色に限定されず、青緑色（ｃｙａｎ）、紫紅色（ｍａｇｅｎｔａ）、黄色（ｙｅｌｌｏｗ）などであってもよい。本発明の一実施形態による複数の着色画素は、第１着色画素ＰＸ＿１、第２着色画素ＰＸ＿２、第３着色画素ＰＸ＿３などを含んでもよい。本実施形態では第１着色画素ＰＸ＿１が赤色を表示する赤色画素であり、第２着色画素ＰＸ＿２が緑色を表示する緑色画素であり、第３着色画素ＰＸ＿３が青色を表示する青色画素である場合を例とする。
【００３９】
白色画素ＰＸ＿Ｗは、いずれか一つの波長帯の光を通過させる代わりに、可視光線の大体の全波長帯の光を均等に通過させて白色の映像を表示することができる。白色画素ＰＸ＿Ｗは、表示装置の色再現性を向上するか輝度を補強する役割を果たすことができる。
【００４０】
隣接の複数の着色画素ＰＸ＿１、ＰＸ＿２、ＰＸ＿３は、それぞれの基本色を表示し、これら基本色の空間的合計で所望の色が認識されるようにしてフルカラー（ｆｕｌｌ  ｃｏｌｏｒ）を表現することができる。
【００４１】
隣接の複数の着色画素ＰＸ＿１、ＰＸ＿２、ＰＸ＿３を全てオンして映像が表示されるとき、これらと隣接する白色画素ＰＸ＿Ｗを共に駆動することで表示される映像の輝度を高めることができる。白色映像を表示する場合には、白色画素ＰＸ＿Ｗのみを駆動してもよく、複数の着色画素ＰＸ＿１、ＰＸ＿２、ＰＸ＿３のみを駆動してもよく、全ての画素ＰＸ＿１、ＰＸ＿２、ＰＸ＿３、ＰＸ＿Ｗを駆動してもよい。複数の着色画素ＰＸ＿１、ＰＸ＿２、ＰＸ＿３と白色画素ＰＸ＿Ｗの配置は多様に決められてもよい。
【００４２】
図２に示すように、複数の着色画素ＰＸ＿１、ＰＸ＿２、ＰＸ＿３および白色画素ＰＸ＿Ｗの中から選択された四つの画素は、ほぼ四角形行列形態に配列されていてもよい。例えば、互いに異なる着色画素ＰＸ＿１、ＰＸ＿２、ＰＸ＿３と白色画素ＰＸ＿Ｗの四つの画素が四角形行列形態に配置されてもよい。第１着色画素ＰＸ＿１と白色画素ＰＸ＿Ｗが対角線方向に互いに隣接して配置され、第２着色画素ＰＸ＿２と第３着色画素ＰＸ＿３が対角線方向に互いに隣接して配置されてもよい。また、第１着色画素ＰＸ＿１と第３着色画素ＰＸ＿３が列方向に隣接し、第２着色画素ＰＸ＿２と白色画素ＰＸ＿Ｗが列方向に隣接してもよい。また、第１着色画素ＰＸ＿１と第２着色画素ＰＸ＿２が行方向に隣接し、第３着色画素ＰＸ＿３と白色画素ＰＸ＿Ｗが行方向に隣接してもよい。
【００４３】
このような画素配置は、表示領域ＤＡで一定であってもよく、位置によって変わってもよい。以下、前述の図面と共に図３乃至図７を参照して本発明の一実施形態による表示装置について詳細に説明する。
【００４４】
図３は本発明の一実施形態による表示装置が含む複数の画素および信号線の配置図であり、図４は本発明の一実施形態による表示装置が含む複数の画素およびこれと接続された信号線およびスイッチング素子の配置図であり、図５は本発明の一実施形態による表示装置が含む複数の画素および信号線の配置図であり、図６および図７はそれぞれ本発明の一実施形態による表示装置が含む複数の画素およびこれと接続された信号線およびスイッチング素子の配置図である。
【００４５】
まず、図３に示すように、本発明の一実施形態による表示装置は、複数の信号線ＧＬ１、ＧＬ２、ＤＬ１、ＤＬ２と、これに接続されている複数の着色画素ＰＸ＿１、ＰＸ＿２、ＰＸ＿３と白色画素ＰＸ＿Ｗを含む。
【００４６】
第１着色画素ＰＸ＿１、第２着色画素ＰＸ＿２、そして第３着色画素ＰＸ＿３と白色画素ＰＸ＿Ｗは共にほぼ四角形行列形態に配列されていてもよい。例えば、第１着色画素ＰＸ＿１と第２着色画素ＰＸ＿２が上側列の第１列に配置され、第３着色画素ＰＸ＿３と白色画素ＰＸ＿Ｗが下側列の第２列に配置されてもよい。第１着色画素ＰＸ＿１と第３着色画素ＰＸ＿３は左側行の第１行に配置され、第２着色画素ＰＸ＿２と白色画素ＰＸ＿Ｗは右側行の第２行に配置されてもよい。したがって、四つの画素ＰＸ＿１、ＰＸ＿２、ＰＸ＿３、ＰＸ＿Ｗそれぞれの一角は一点に向かって集まってもよく、具体的に図３に示したＡ領域に集まって位置してもよい。つまり、四つの画素ＰＸ＿１、ＰＸ＿２、ＰＸ＿３、ＰＸ＿ＷはＡ領域を中心に隣接して配置されてもよい。
【００４７】
信号線ＧＬ１、ＧＬ２、ＤＬ１、ＤＬ２は、ゲート信号を伝達する第１および第２ゲート線ＧＬ１、ＧＬ２と、データ電圧を伝達する第１および第２データ線ＤＬ１、ＤＬ２を含むことができる。
【００４８】
第１および第２ゲート線ＧＬ１、ＧＬ２は主に横方向に伸び、第１および第２データ線ＤＬ１、ＤＬ２は主に縦方向に伸びて第１および第２ゲート線ＧＬ１、ＧＬ２と交差する。第１および第２ゲート線ＧＬ１、ＧＬ２は第１列と第２列の間に配置され列方向、即ち、横方向に伸び、第１および第２データ線ＤＬ１、ＤＬ２は第１行と第２行の間に配置され行方向、即ち、縦方向に伸びる。
【００４９】
画素ＰＸ＿１、ＰＸ＿２、ＰＸ＿３、ＰＸ＿Ｗの間の領域および／または信号線が位置する領域は遮光部材（図示せず）で覆われていてもよく、遮光部材で覆われていない部分は光が透過して映像を表示できる透過領域を形成することができる。
【００５０】
各画素ＰＸ＿１、ＰＸ＿２、ＰＸ＿３、ＰＸ＿Ｗは、互いに異なるゲート線ＧＬ１、ＧＬ２およびデータ線ＤＬ１、ＤＬ２に接続されていてもよい。したがって、各画素ＰＸ＿１、ＰＸ＿２、ＰＸ＿３、ＰＸ＿Ｗは独立したタイミングに独立したデータ電圧の印加を受けることができる。各画素ＰＸ＿１、ＰＸ＿２、ＰＸ＿３、ＰＸ＿Ｗとゲート線ＧＬ１、ＧＬ２またはデータ線ＤＬ１、ＤＬ２との接続部位は、図３に示したように、Ａ領域に集まって配置されてもよい。
【００５１】
これについて図３と共に図４を参照して詳しく説明する。図３および図４に示すように、各画素ＰＸ＿１、ＰＸ＿２、ＰＸ＿３、ＰＸ＿Ｗは、少なくとも一つのデータ線ＤＬ１、ＤＬ２および少なくとも一つのゲート線ＧＬ１、ＧＬ２に接続されている少なくとも一つのスイッチング素子Ｑ１、Ｑ２、Ｑ３、ＱＷおよびこれに接続された少なくとも一つの画素電極１９１＿１、１９１＿２、１９１＿３、１９１＿Ｗを含む。
【００５２】
スイッチング素子Ｑ１、Ｑ２、Ｑ３、ＱＷは、少なくとも一つの薄膜トランジスタを含むことができる。薄膜トランジスタは、ゲート線ＧＬ１、ＧＬ２が伝達するゲート信号によって制御されて、データ線ＤＬ１、ＤＬ２が伝達するデータ電圧を画素電極１９１＿１、１９１＿２、１９１＿３、１９１＿Ｗに伝達することができる。画素電極１９１＿１、１９１＿２、１９１＿３、１９１＿Ｗの大部分は各画素ＰＸ＿１、ＰＸ＿２、ＰＸ＿３、ＰＸ＿Ｗの透光領域に位置して映像の表示を制御することができる。
【００５３】
各画素ＰＸ＿１、ＰＸ＿２、ＰＸ＿３、ＰＸ＿Ｗのスイッチング素子Ｑ１、Ｑ２、Ｑ３、ＱＷは全てＡ領域に集まって位置する。このように四つの画素ＰＸ＿１、ＰＸ＿２、ＰＸ＿３、ＰＸ＿Ｗが隣接して一つの四角形行列形態に配置されているとき、互いに隣接した四つの画素ＰＸ＿１、ＰＸ＿２、ＰＸ＿３、ＰＸ＿Ｗが含むスイッチング素子Ｑ１、Ｑ２、Ｑ３、ＱＷを四つの画素ＰＸ＿１、ＰＸ＿２、ＰＸ＿３、ＰＸ＿Ｗが共有する一つの中心、即ち、Ａ領域に共に配置することによって遮光される領域を最少化することができる。同様に、ゲート線ＧＬ１、ＧＬ２とデータ線ＤＬ１、ＤＬ２などの信号線を少なくとも二つ以上ずつ隣接させて画素列または画素行の間に配置させることによって、遮光される領域を最少化することができる。したがって、表示装置が赤色画素、緑色画素および青色画素などの着色画素以外に白色画素ＰＸ＿Ｗをさらに含んでも、表示装置において光が透過できる有効面積を増加させて表示装置の透過率を高めることができる。
【００５４】
次に、図５に示すように、本実施形態による表示装置は前述の図３に示した実施形態による表示装置と大部分が同一であるが、信号線、そして信号線と画素ＰＸ＿１、ＰＸ＿２、ＰＸ＿３、ＰＸ＿Ｗの間の接続関係が異なる。
【００５５】
四角形行列形態に配置されている四つの画素ＰＸ＿１、ＰＸ＿２、ＰＸ＿３、ＰＸ＿Ｗが形成する第１列と第２列の間には一つのゲート線ＧＬが配置されて列方向、即ち、横方向に伸び、第１行と第２行の間には一つのデータ線ＤＬが配置されて行方向、即ち、縦方向に伸びる。
【００５６】
本実施形態によれば、一つの四角形行列形態に配置されている四つの画素ＰＸ＿１、ＰＸ＿２、ＰＸ＿３、ＰＸ＿Ｗのうちの少なくとも二つの画素ＰＸ＿１、ＰＸ＿２、ＰＸ＿３、ＰＸ＿Ｗは同一のゲート線ＧＬおよび／または同一のデータ線ＤＬに接続されていてもよい。図５は一つの四角形行列形態に配置されている全ての画素ＰＸ＿１、ＰＸ＿２、ＰＸ＿３、ＰＸ＿Ｗが一つのゲート線ＧＬおよび一つのデータ線ＤＬに接続されている例を示す。したがって、四つの画素ＰＸ＿１、ＰＸ＿２、ＰＸ＿３、ＰＸ＿Ｗのうちの少なくとも二つの画素ＰＸ＿１、ＰＸ＿２、ＰＸ＿３、ＰＸ＿Ｗは同一のタイミングに互いに異なるか互いに同一なデータ電圧の印加を受けることができる。各画素ＰＸ＿１、ＰＸ＿２、ＰＸ＿３、ＰＸ＿Ｗとゲート線ＧＬおよびデータ線ＤＬとの接続部位は、図５に示したように、Ａ領域に集まって配置されてもよい。
【００５７】
これについて図５と共に図６を参照して詳しく説明する。図５および図６に示すように、各画素ＰＸ＿１、ＰＸ＿２、ＰＸ＿３、ＰＸ＿Ｗは、データ線ＤＬおよびゲート線ＧＬに接続されている少なくとも一つのスイッチング素子Ｑ１、Ｑ２、Ｑ３、ＱＷおよびこれに接続された少なくとも一つの画素電極１９１＿１、１９１＿２、１９１＿３、１９１＿Ｗを含んでもよい。スイッチング素子Ｑ１、Ｑ２、Ｑ３、ＱＷは少なくとも一つの薄膜トランジスタを含むことができる。したがって、四つの画素ＰＸ＿１、ＰＸ＿２、ＰＸ＿３、ＰＸ＿Ｗのうちの少なくとも二つの画素ＰＸ＿１、ＰＸ＿２、ＰＸ＿３、ＰＸ＿Ｗが含むスイッチング素子Ｑ１、Ｑ２、Ｑ３、ＱＷは、ゲート線ＧＬが伝達するゲート信号によって制御されて、データ線ＤＬが伝達するデータ電圧をそれぞれの画素電極１９１＿１、１９１＿２、１９１＿３、１９１＿Ｗに伝達することができる。
【００５８】
本実施形態でも各画素ＰＸ＿１、ＰＸ＿２、ＰＸ＿３、ＰＸ＿Ｗのスイッチング素子Ｑ１、Ｑ２、Ｑ３、ＱＷは全てＡ領域に集まって位置する。このように四つの画素ＰＸ＿１、ＰＸ＿２、ＰＸ＿３、ＰＸ＿Ｗが隣接して一つの四角形行列形態に配置されているとき、互いに隣接した四つの画素ＰＸ＿１、ＰＸ＿２、ＰＸ＿３、ＰＸ＿Ｗが含むスイッチング素子Ｑ１、Ｑ２、Ｑ３、ＱＷを四つの画素ＰＸ＿１、ＰＸ＿２、ＰＸ＿３、ＰＸ＿Ｗが共有する一つの角、即ち、Ａ領域に共に配置することによって、遮光される領域を最少化することができる。同様に、四つの画素ＰＸ＿１、ＰＸ＿２、ＰＸ＿３、ＰＸ＿Ｗに対して最小限の数の信号線を配置するので、遮光される領域を最少化することができる。したがって、表示装置が赤色画素、緑色画素および青色画素などの着色画素以外に白色画素ＰＸ＿Ｗをさらに含んでも、表示装置において光が透過できる有効面積を増加させて表示装置の透過率を高めることができる。
【００５９】
図７に示すように、本実施形態による表示装置は前述の図６に示した実施形態による表示装置と大部分が同一であるが、各画素ＰＸ＿１、ＰＸ＿２、ＰＸ＿３、ＰＸ＿Ｗのスイッチング素子が個々の薄膜トランジスタで構成されず、３つ若しくは３つよりも少ない薄膜トランジスタで構成されてもよい。図７はほぼ四角形行列形態に配列されている四つの画素ＰＸ＿１、ＰＸ＿２、ＰＸ＿３、ＰＸ＿Ｗが全て一つの薄膜トランジスタで構成される一つのスイッチング素子Ｑに接続される例を示す。この場合、隣接した四つの画素ＰＸ＿１、ＰＸ＿２、ＰＸ＿３、ＰＸ＿Ｗが一つのスイッチング素子Ｑのみを含むので、表示装置において光が透過できる有効面積をさらに増加させて表示装置の透過率を高めることができる。
【００６０】
以下、図８および図９を参照して本発明の一実施形態による表示装置への画素配置およびそれによる駆動方法について説明する。図８および図９はそれぞれ本発明の一実施形態による表示装置が含む複数の画素の配置図である。
【００６１】
図８に示すように、本発明の一実施形態による表示装置は、前述のように複数の着色画素ＰＸ＿１、ＰＸ＿２、ＰＸ＿３および白色画素ＰＸ＿Ｗを含み、複数の画素ＰＸ＿１、ＰＸ＿２、ＰＸ＿３、ＰＸ＿Ｗが共に一つのビッグドット（ｌａｒｇｅ  ｄｏｔ）ＬＤｏｔを形成することができる。本実施形態ではビッグドットＬＤｏｔが１６個の画素ＰＸ＿１、ＰＸ＿２、ＰＸ＿３、ＰＸ＿Ｗを含む例を中心に説明するが、ビッグドットＬＤｏｔに含まれる画素ＰＸ＿１、ＰＸ＿２、ＰＸ＿３、ＰＸ＿Ｗの数はこれに限定されず、本発明の実施形態による特徴および効果を有する限り変わってもよい。本発明の一実施形態による表示装置は複数のビッグドットＬＤｏｔを含むことができ、各ビッグドットＬＤｏｔは後述の様々な実施形態による構成による。また、互いに異なるところに位置するビッグドットＬＤｏｔは、互いに同一の構造を有してもよく、互いに異なる構造を有してもよい。
【００６２】
一つのビッグドットＬＤｏｔは、ほぼ四つのビッグ画素ＰＲ、ＰＧ、ＰＢ、ＰＷを含む。ビッグ画素ＰＲ、ＰＧ、ＰＢ、ＰＷは第１ビッグ画素ＰＲ、第２ビッグ画素ＰＧ、第３ビッグ画素ＰＢ、そして第４ビッグ画素ＰＷを含む。各ビッグ画素ＰＲ、ＰＧ、ＰＢ、ＰＷは四種類の画素ＰＸ＿１、ＰＸ＿２、ＰＸ＿３、ＰＸ＿Ｗのうちの四つを含むことができ、同一の色を示す画素が重複して含まれてもよい。各ビッグ画素ＰＲ、ＰＧ、ＰＢ、ＰＷが含む四つの画素は、ほぼ四角形行列形態に配置されてもよい。
【００６３】
具体的に、第１ビッグ画素ＰＲは、二つの第１着色画素ＰＸ＿１、一つの第２着色画素ＰＸ＿２、そして一つの第３着色画素ＰＸ＿３を含むことができる。二つの第１着色画素ＰＸ＿１は一対角線方向に配置され、残りの画素は反対方向の対角線方向に配置されてもよい。
【００６４】
第２ビッグ画素ＰＧは、二つの第２着色画素ＰＸ＿２、一つの第１着色画素ＰＸ＿１、そして一つの第３着色画素ＰＸ＿３を含むことができる。二つの第２着色画素ＰＸ＿２は一対角線方向に配置され、残りの画素は反対方向の対角線方向に配置されてもよい。
【００６５】
第３ビッグ画素ＰＢは、二つの第３着色画素ＰＸ＿３、一つの第１着色画素ＰＸ＿１、そして一つの第２着色画素ＰＸ＿２を含むことができる。二つの第３着色画素ＰＸ＿３は一対角線方向に配置され、残りの画素は反対方向の対角線方向に配置されてもよい。
【００６６】
第４ビッグ画素ＰＷは、一つの白色画素ＰＸ＿Ｗ、一つの第１着色画素ＰＸ＿１、一つの第２着色画素ＰＸ＿２、そして一つの第３着色画素ＰＸ＿３を含むことができる。白色画素ＰＸ＿Ｗと一つの着色画素ＰＸ＿１、ＰＸ＿２、ＰＸ＿３は一対角線方向に配置され、残り二つの着色画素は反対方向の対角線方向に配置されてもよい。
【００６７】
このように一つのビッグドットＬＤｏｔに含まれている複数のビッグ画素ＰＲ、ＰＧ、ＰＢ、ＰＷはほぼ四角形行列形態に配置されてもよく、一つのビッグ画素ＰＲ、ＰＧ、ＰＢ、ＰＷに含まれている複数の画素ＰＸ＿１、ＰＸ＿２、ＰＸ＿３、ＰＸ＿Ｗもほぼ四角形行列形態に配置されてもよいが、これに限定されるのではない。
【００６８】
各ビッグ画素ＰＲ、ＰＧ、ＰＢ、ＰＷが含む画素ＰＸ＿１、ＰＸ＿２、ＰＸ＿３、ＰＸ＿Ｗの配置は図示と異なり変わってもよく、ビッグドットＬＤｏｔが含むビッグ画素ＰＲ、ＰＧ、ＰＢ、ＰＷの配置も図示と異なり変わってもよい。各ビッグ画素ＰＲ、ＰＧ、ＰＢ、ＰＷは、各着色画素ＰＸ＿１、ＰＸ＿２、ＰＸ＿３が示すことができる基本色のうちの一つを表示してもよく、白色を表示してもよい。
【００６９】
各ビッグ画素ＰＲ、ＰＧ、ＰＢ、ＰＷが白色を表示する場合、各ビッグ画素ＰＲ、ＰＧ、ＰＢ、ＰＷが含む複数の着色画素ＰＸ＿１、ＰＸ＿２、ＰＸ＿３が全て点灯される。各ビッグ画素ＰＲ、ＰＧ、ＰＢ、ＰＷが赤色を表示する場合、それぞれが含んでいる第１着色画素ＰＸ＿１のみが点灯され、緑色を表示する場合、それぞれが含んでいる第２着色画素ＰＸ＿２のみが点灯され、青色を表示する場合、それぞれが含んでいる第３着色画素ＰＸ＿３のみが点灯される。特に、第１、第２および第３ビッグ画素ＰＲ、ＰＧ、ＰＢのように一つの基本色を示す画素を二つずつ含む場合、基本色を表示する場合にその基本色を示す二つの画素が全て点灯されるか、一つのみが点灯される。
【００７０】
第４ビッグ画素ＰＷが基本色のうちの一つを示す時に白色画素ＰＸ＿Ｗも共に点灯することによって映像の輝度を高めることができる。本発明の一実施形態によれば、一つのビッグドットＬＤｏｔに含まれている複数のビッグ画素ＰＲ、ＰＧ、ＰＢ、ＰＷが共有する一頂点または一角を中心に隣接して配置された四つの画素ＰＸ＿１、ＰＸ＿２、ＰＸ＿３、ＰＸ＿Ｗは、共に一つの融合ビッグ画素ＰＣを形成する。融合ビッグ画素ＰＣが含む第１着色画素ＰＸ＿１は第１ビッグ画素ＰＲに属し、融合ビッグ画素ＰＣが含む第２着色画素ＰＸ＿２は第２ビッグ画素ＰＧに属し、融合ビッグ画素ＰＣが含む第３着色画素ＰＸ＿３は第３ビッグ画素ＰＢに属し、融合ビッグ画素ＰＣが含む白色画素ＰＸ＿Ｗは第４ビッグ画素ＰＷに属する。
【００７１】
したがって、融合画素ＰＣは、各着色画素ＰＸ＿１、ＰＸ＿２、ＰＸ＿３が示すことができる基本色のうちの一つを表示することもでき、白色を表示することもできる。図９に示すように、ビッグドットＬＤｏｔが含む各画素ＰＸ＿１、ＰＸ＿２、ＰＸ＿３、ＰＸ＿Ｗは、前述のように、スイッチング素子を通じて信号線に接続され、スイッチング素子は、前述のように、四角形形態に配列された隣接した四つの画素ＰＸ＿１、ＰＸ＿２、ＰＸ＿３、ＰＸ＿Ｗが共有している一角であるＡ領域に位置する。これについては前述で詳しく説明したので、ここで詳細な説明は省略する。
【００７２】
このように、一つのビッグドットＬＤｏｔが含み、それぞれ多様なカラーおよび白色を表示できるビッグ画素ＰＲ、ＰＧ、ＰＢ、ＰＷおよび／または融合ビッグ画素ＰＣは、多様な方法で駆動されて多様な解像度、多様な輝度を有する多様な映像を自由に表示することができるため、一つの表示装置が表示できる映像の種類を極大化することができ、ホワイト色座標の容易な調節も可能である。
【００７３】
これについて前述の図８および図９と共に図１０乃至図２０をそれぞれ参照して詳しく説明する。図１０、図１１、図１２、図１３、図１４および図１５はそれぞれ本発明の一実施形態による表示装置のビッグドットが一つの映像を表示する時に駆動される画素の例を示す配置図であり、図１６、図１７、図１８、図１９および図２０はそれぞれ本発明の一実施形態による表示装置のビッグドットが複数の映像を表示する時に駆動される画素の例を示す配置図である。
【００７４】
まず、図１０に示すように、一つのビッグドットＬＤｏｔは、一つの映像信号に対応する一つの映像を表示することができる。このとき、一つのビッグドットＬＤｏｔが含む第１ビッグ画素ＰＲは該当映像の赤色Ｒを示し、第２ビッグ画素ＰＧは該当映像の緑色Ｇを示し、第３ビッグ画素ＰＢは該当映像の青色Ｂを示し、第４ビッグ画素ＰＷは白色Ｗを示して、該当映像の輝度を高める役割を果たすことができる。第１ビッグ画素ＰＲが示す赤色Ｒ、第２ビッグ画素ＰＧが示す緑色Ｇ、そして第３ビッグ画素ＰＢが示す青色Ｂは適切に組み合わせられて多様な色の映像を示すことができる。
【００７５】
このとき、第１ビッグ画素ＰＲが含む二つの第１着色画素ＰＸ＿１のうちの少なくとも一つが点灯されて赤色Ｒを示すことができる。点灯される第１着色画素ＰＸ＿１の数を調節して赤色の彩度を自由に調節することができる。点灯される第１着色画素ＰＸ＿１は融合ビッグ画素ＰＣに含まれなくてもよい。これと共に第１ビッグ画素ＰＲが含む第２着色画素ＰＸ＿２および第３着色画素ＰＸ＿３も同時に点灯されてもよい。この場合、第１ビッグ画素ＰＲが含む三つの着色画素ＰＸ＿１、ＰＸ＿２、ＰＸ＿３が全て点灯されるので、これらが白色を示すことができ、第１ビッグ画素ＰＲが表示する赤色の輝度を高めることができる。
【００７６】
同様に、第２ビッグ画素ＰＧが含む二つの第２着色画素ＰＸ＿２のうちの少なくとも一つが点灯されて緑色Ｇを示すことができる。点灯される第２着色画素ＰＸ＿２の数を調節して緑色の彩度を自由に調節することができる。点灯される第２着色画素ＰＸ＿２は融合ビッグ画素ＰＣに含まれなくてもよい。これと共に第２ビッグ画素ＰＧが含む第１着色画素ＰＸ＿１および第３着色画素ＰＸ＿３も同時に点灯されてもよい。この場合、第２ビッグ画素ＰＧが含む三つの着色画素ＰＸ＿１、ＰＸ＿２、ＰＸ＿３が全て点灯されるので、これらが白色を示すことができ、第２ビッグ画素ＰＧが表示する緑色の輝度を高めることができる。
【００７７】
同様に、第３ビッグ画素ＰＢが含む二つの第３着色画素ＰＸ＿３のうちの少なくとも一つが点灯されて青色Ｂを示すことができる。点灯される第３着色画素ＰＸ＿３の数を調節して青色の彩度を自由に調節することができる。点灯される第３着色画素ＰＸ＿３は融合ビッグ画素ＰＣに含まれなくてもよい。これと共に第３ビッグ画素ＰＢが含む第１着色画素ＰＸ＿１および第２着色画素ＰＸ＿２も同時に点灯されてもよい。この場合、第３ビッグ画素ＰＢが含む三つの着色画素ＰＸ＿１、ＰＸ＿２、ＰＸ＿３が全て点灯されるので、これらが白色を示すことができ、第３ビッグ画素ＰＢが表示する青色の輝度を高めることができる。
【００７８】
第４ビッグ画素ＰＷは点灯されてもよく消灯されてもよいが、点灯される場合、白色Ｗを示しビッグドットＬＤｏｔが示す映像の輝度を高めることができ、輝度も多様に調節することができる。第４ビッグ画素ＰＷが点灯される場合、第４ビッグ画素ＰＷが含む白色画素ＰＸ＿Ｗのみが点灯されてもよく、三つの着色画素ＰＸ＿１、ＰＸ＿２、ＰＸ＿３が同時に点灯されてもよく、第４ビッグ画素ＰＷが含む全ての画素ＰＸ＿１、ＰＸ＿２、ＰＸ＿３、ＰＸ＿Ｗが点灯されて白色Ｗを示すこともできる。このように多様な駆動方法によって表示しようとする映像の輝度を多様に変化させることができるため、表示装置を使用する周辺の明るさ、映像の種類などの多様な条件に合わせて多様な輝度の映像を表示することができる。
【００７９】
また、第４ビッグ画素ＰＷで着色画素ＰＸ＿１、ＰＸ＿２、ＰＸ＿３のみを点灯して示す白色の色座標は、白色画素ＰＸ＿Ｗのみを点灯して示す白色の色座標と異なる。したがって、前述のように、白色画素ＰＸ＿Ｗのみを点灯する場合の白色の色座標、三つの着色画素ＰＸ＿１、ＰＸ＿２、ＰＸ＿３のみを点灯する場合の白色の色座標、そして全ての画素ＰＸ＿１、ＰＸ＿２、ＰＸ＿３、ＰＸ＿Ｗを点灯する場合の白色の色座標は互いに異なる。したがって、このように多様な駆動方法によってホワイトの色座標を容易に調節して多様な色座標のホワイトを表示することができる。
【００８０】
次に、図１１に示すように、本実施形態による表示装置の駆動方法は前述の図１０に示した実施形態と大部分が同一であるが、一つのビッグドットＬＤｏｔが一つの映像信号に対応する一つの映像を表示するために各ビッグ画素ＰＲ、ＰＧ、ＰＢ、ＰＷで一つずつの画素ＰＸ＿１、ＰＸ＿２、ＰＸ＿３、ＰＸ＿Ｗのみが点灯される例を示す。具体的に、第１ビッグ画素ＰＲが含む二つの第１着色画素ＰＸ＿１のうちの一つが点灯されて赤色Ｒを示すことができ、残りの着色画素ＰＸ＿１、ＰＸ＿２、ＰＸ＿３は消灯されてもよい。第２ビッグ画素ＰＧが含む二つの第２着色画素ＰＸ＿２のうちの一つが点灯されて緑色Ｇを示すことができ、残りの着色画素ＰＸ＿１、ＰＸ＿２、ＰＸ＿３は消灯されてもよい。第３ビッグ画素ＰＢが含む二つの第３着色画素ＰＸ＿３のうちの一つが点灯されて青色Ｂを示すことができ、残りの着色画素ＰＸ＿１、ＰＸ＿２、ＰＸ＿３は消灯されてもよい。第４ビッグ画素ＰＷが含む画素ＰＸ＿１、ＰＸ＿２、ＰＸ＿３、ＰＸ＿Ｗのうちの白色画素ＰＸ＿Ｗのみが点灯されて白色Ｗを示すことができる。
【００８１】
このように第１ビッグ画素ＰＲの第１着色画素ＰＸ＿１が示す赤色Ｒ、第２ビッグ画素ＰＧの第２着色画素ＰＸ＿２が示す緑色Ｇ、そして第３ビッグ画素ＰＢの第３着色画素ＰＸ＿３が示す青色Ｂは適切に組み合わせられて多様な色の映像を示すことができ、第４ビッグ画素ＰＷの白色画素ＰＸ＿Ｗが示す白色はビッグドットＬＤｏｔが示す映像の輝度を高めることができる。
【００８２】
次に、図１２に示すように、本実施形態による表示装置の駆動方法は前述の図１１に示した実施形態と大部分が同一であるが、一つのビッグドットＬＤｏｔが白色系の映像を表示する場合に白色画素ＰＸ＿Ｗのみが駆動される例を示す。
【００８３】
次に、図１３に示すように、本実施形態による表示装置の駆動方法は前述の図１１に示した実施形態と大部分が同一であるが、一つのビッグドットＬＤｏｔが一つの映像信号に対応する一つの映像を表示するために第１乃至第３ビッグ画素ＰＲ、ＰＧ、ＰＢで同一の基本色を示す一対の着色画素ＰＸ＿１、ＰＸ＿２、ＰＸ＿３が駆動される例を示す。
【００８４】
具体的に、第１ビッグ画素ＰＲが含む二つの第１着色画素ＰＸ＿１が共に赤色Ｒを示すことができ、第２ビッグ画素ＰＧが含む二つの第２着色画素ＰＸ＿２が共に緑色Ｇを示すことができ、第３ビッグ画素ＰＢが含む二つの第３着色画素ＰＸ＿３が共に青色Ｂを示すことができる。
【００８５】
これによれば、前述の図１１に示した実施形態が表示する映像に比べて高い彩度の映像を表示することができ、図１１または図１２とは異なるホワイト色座標を示すことができる。即ち、一つのビッグドットＬＤｏｔが白色系の映像を表示する時、図１２に示したように一つの白色画素ＰＸ＿Ｗのみを駆動するか、図１１に示したように一つの白色画素ＰＸ＿Ｗと一つずつの着色画素ＰＸ＿１、ＰＸ＿２、ＰＸ＿３を駆動するか、図１２に示したように一つの白色画素ＰＸ＿Ｗと二つずつの着色画素ＰＸ＿１、ＰＸ＿２、ＰＸ＿３を駆動する方法により、白色画素ＰＸ＿Ｗが表示するホワイトと着色画素ＰＸ＿１、ＰＸ＿２、ＰＸ＿３が表示するホワイトが混ざる比率を多様に調節することができる。これにより、ホワイト系の映像の色座標を多様に調節することができる。
【００８６】
次に、図１４に示すように、本実施形態による表示装置の駆動方法は前述の図１１に示した実施形態と大部分が同一であるが、第４ビッグ画素ＰＷで点灯される画素が異なる。具体的に、第１ビッグ画素ＰＲが含む二つの第１着色画素ＰＸ＿１のうちの一つが点灯されて赤色Ｒを示すことができ、残りの着色画素ＰＸ＿１、ＰＸ＿２、ＰＸ＿３は消灯されてもよい。第２ビッグ画素ＰＧが含む二つの第２着色画素ＰＸ＿２のうちの一つが点灯されて緑色Ｇを示すことができ、残りの着色画素ＰＸ＿１、ＰＸ＿２、ＰＸ＿３は消灯されてもよい。第３ビッグ画素ＰＢが含む二つの第３着色画素ＰＸ＿３のうちの一つが点灯されて青色Ｂを示すことができ、残りの着色画素ＰＸ＿１、ＰＸ＿２、ＰＸ＿３は消灯されてもよい。第４ビッグ画素ＰＷが含む画素ＰＸ＿１、ＰＸ＿２、ＰＸ＿３、ＰＸ＿Ｗのうちの白色画素ＰＸ＿Ｗは消灯され、残りの着色画素ＰＸ＿１、ＰＸ＿２、ＰＸ＿３が点灯されて白色Ｗを示すことができる。
【００８７】
このとき、第４ビッグ画素ＰＷが示す白色の色座標は前述の図１１に示した実施形態で第４ビッグ画素ＰＷが示す白色の色座標と異なる。このように第１ビッグ画素ＰＲの第１着色画素ＰＸ＿１が示す赤色Ｒ、第２ビッグ画素ＰＧの第２着色画素ＰＸ＿２が示す緑色Ｇ、そして第３ビッグ画素ＰＢの第３着色画素ＰＸ＿３が示す青色Ｂは適切に組み合わせることで多様な色の映像を示すことができ、第４ビッグ画素ＰＷの白色画素ＰＸ＿Ｗが示す白色はビッグドットＬＤｏｔが示す映像の輝度を高めることができる。
【００８８】
次に、図１５に示すように、本実施形態による表示装置の駆動方法は前述の図１１に示した実施形態と大部分が同一であるが、第１乃至第３ビッグ画素ＰＲ、ＰＧ、ＰＢで点灯される画素が異なる。具体的に、第１ビッグ画素ＰＲで点灯される第１着色画素ＰＸ＿１、第２ビッグ画素ＰＧで点灯される第２着色画素ＰＸ＿２、そして第３ビッグ画素ＰＢで点灯される第３着色画素ＰＸ＿３のうちの少なくとも一つは融合ビッグ画素ＰＣに含まれる。図１５は第１ビッグ画素ＰＲで点灯される第１着色画素ＰＸ＿１、第２ビッグ画素ＰＧで点灯される第２着色画素ＰＸ＿２、そして第３ビッグ画素ＰＢで点灯される第３着色画素ＰＸ＿３が全て融合ビッグ画素ＰＣに含まれる例を示す。これによれば、結局一つの映像信号に対応する一つの映像を表示するビッグドットＬＤｏｔで点灯されるビッグ画素は融合ビッグ画素ＰＣ一つであってもよい。
【００８９】
本実施形態の場合、ビッグドットＬＤｏｔが表示する映像を構成する赤色Ｒ、緑色Ｇ、青色Ｂは、前述の図１１乃至図１４に示した実施形態に比べて密に集まっているので、表示される映像の特性が異なって示される。
【００９０】
本発明の他の実施形態によれば、融合ビッグ画素ＰＣの白色画素ＰＸ＿Ｗは消灯されてもよい。この場合、表示される映像の輝度は低くなることがあるので、表示装置が使用される周辺の明るさが暗いところで本実施形態による表示装置を用いることができる。
【００９１】
次に、図１６に示すように、一つのビッグドットＬＤｏｔは複数の映像信号に対応する複数の映像を表示することができる。このとき、一つのビッグドットＬＤｏｔは各映像信号に対応する複数のドットＤｏｔ＿１、Ｄｏｔ＿２、Ｄｏｔ＿３、Ｄｏｔ＿４、Ｄｏｔ＿５を含んでもよい。各ドットＤｏｔ＿１、Ｄｏｔ＿２、Ｄｏｔ＿３、Ｄｏｔ＿４、Ｄｏｔ＿５は複数の画素ＰＸ＿１、ＰＸ＿２、ＰＸ＿３、ＰＸ＿Ｗを多様に含み、各映像信号に対応して多様な色または白色系の映像を表示することができる。
【００９２】
図１６は一つのビッグドットＬＤｏｔが五つのドットＤｏｔ＿１、Ｄｏｔ＿２、Ｄｏｔ＿３、Ｄｏｔ＿４、Ｄｏｔ＿５を含む例を示し、五つのドットＤｏｔ＿１、Ｄｏｔ＿２、Ｄｏｔ＿３、Ｄｏｔ＿４、Ｄｏｔ＿５を全て駆動して最も高い解像度の映像を表示することができる。具体的に、第１ドットＤｏｔ＿１は第１ビッグ画素ＰＲが含む画素のうちの互いに異なる基本色を示す三つの着色画素ＰＸ＿１、ＰＸ＿２、ＰＸ＿３を含むことができ、第２ドットＤｏｔ＿２は第２ビッグ画素ＰＧが含む画素のうちの互いに異なる基本色を示す三つの着色画素ＰＸ＿１、ＰＸ＿２、ＰＸ＿３を含むことができ、第３ドットＤｏｔ＿３は第３ビッグ画素ＰＢが含む画素のうちの互いに異なる基本色を示す三つの着色画素ＰＸ＿１、ＰＸ＿２、ＰＸ＿３を含むことができ、第４ドットＤｏｔ＿４は第４ビッグ画素ＰＷが含む画素のうちの互いに異なる基本色を示す三つの着色画素ＰＸ＿１、ＰＸ＿２、ＰＸ＿３を含むことができ、第５ドットＤｏｔ＿５は融合ビッグ画素ＰＣが含む四つの画素ＰＸ＿１、ＰＸ＿２、ＰＸ＿３、ＰＸ＿Ｗを含むことができる。
【００９３】
各ドットＤｏｔ＿１、Ｄｏｔ＿２、Ｄｏｔ＿３、Ｄｏｔ＿４、Ｄｏｔ＿５はそれぞれの映像信号に対応する映像を表示することができ、特に第５ドットＤｏｔ＿５は白色画素ＰＸ＿Ｗを含むので、より高い輝度の映像を表示することができる。また、第５ドットＤｏｔ＿５は白色画素ＰＸ＿Ｗのオン／オフを調節して、第５ドットＤｏｔ＿５が表示する映像またはビッグドットＬＤｏｔが表示する全体映像の輝度および／または白色の色座標を多様に調節することができる。
【００９４】
次に、図１７に示すように、本実施形態による表示装置の駆動方法は前述の図１６に示した実施形態と大部分が同一であるが、第５ドットＤｏｔ＿５が含む着色画素ＰＸ＿１、ＰＸ＿２、ＰＸ＿３は消灯され白色画素ＰＸ＿Ｗは駆動され、残りのドットＤｏｔ＿１、Ｄｏｔ＿２、Ｄｏｔ＿３、Ｄｏｔ＿４のうちの少なくとも一つ、さらに具体的に全てのドットＤｏｔ＿１、Ｄｏｔ＿２、Ｄｏｔ＿３、Ｄｏｔ＿４が駆動される例を示す。
【００９５】
これによれば、図１６に示したように、全てのドットＤｏｔ＿１、Ｄｏｔ＿２、Ｄｏｔ＿３、Ｄｏｔ＿４、Ｄｏｔ＿５を駆動して表示する映像に比べて低い解像度の映像が表示される。白色画素ＰＸ＿Ｗのオン／オフを調節して表示される映像の輝度を適切に調節することができる。
【００９６】
第５ドットＤｏｔ＿５が消灯されているので、図１６に示したように全てのドットＤｏｔ＿１、Ｄｏｔ＿２、Ｄｏｔ＿３、Ｄｏｔ＿４、Ｄｏｔ＿５を駆動して表示する映像に比べて低い輝度の映像が表示される。従って、本実施形態による駆動方法によって動作する表示装置は、図１６に示した実施形態による駆動方法によって動作する表示装置が使用される環境の明るさに比べて暗い環境で使用されることが適切である。
【００９７】
次に、図１８に示すように、本実施形態による表示装置の駆動方法は前述の図１７に示した実施形態と大部分が同一であるが、第５ドットＤｏｔ＿５以外の他のドットＤｏｔ＿１、Ｄｏｔ＿２、Ｄｏｔ＿３、Ｄｏｔ＿４のうちの一つも消灯されてもよい。図１８は第３ドットＤｏｔ＿３も消灯される例を示す。
【００９８】
これによれば、図１７に示したように四つのドットＤｏｔ＿１、Ｄｏｔ＿２、Ｄｏｔ＿３、Ｄｏｔ＿４および／または白色画素ＰＸ＿Ｗを駆動して表示する映像に比べて低い解像度の映像が表示される。本実施形態でも白色画素ＰＸ＿Ｗのオン／オフを調節して表示される映像の輝度を適切に調節することができる。
【００９９】
次に、図１９に示すように、本実施形態による表示装置の駆動方法は前述の図１６に示した実施形態と大部分が同一であるが、第１乃至第４ドットＤｏｔ＿１、Ｄｏｔ＿２、Ｄｏｔ＿３、Ｄｏｔ＿４のうちの少なくとも一つが消灯され残りは点灯されながら第５ドットＤｏｔ＿５は点灯されるように駆動される。特に、図１９は一つのビッグドットＬＤｏｔが含むドットＤｏｔ＿１、Ｄｏｔ＿２、Ｄｏｔ＿３、Ｄｏｔ＿４、Ｄｏｔ＿５のうちの第１ドットＤｏｔ＿１および第５ドットＤｏｔ＿５が駆動される例を示す。
【０１００】
これによれば、図１９に示したように一つのビッグドットＬＤｏｔの三つのドットを駆動して表示する映像に比べて低い解像度の映像が表示される。白色画素ＰＸ＿Ｗを含む第５ドットＤｏｔ＿５が駆動されて点灯されるので、白色画素ＰＸ＿Ｗを消灯または点灯して映像の輝度を低いか高く調節することができる。
【０１０１】
次に、図２０に示すように、前述の図１６に示した実施形態と異なるようにドットが構成されてもよい。具体的に、一つのビッグドットＬＤｏｔは各映像信号に対応する三つのドットＤｏｔ＿１、Ｄｏｔ＿２、Ｄｏｔ＿３を含むことができる。具体的に、第１ドットＤｏｔ＿１は第１ビッグ画素ＰＲが含む画素のうちの互いに異なる基本色を示す三つの着色画素ＰＸ＿１、ＰＸ＿２、ＰＸ＿３を含むことができ、第２ドットＤｏｔ＿２は第２ビッグ画素ＰＧが含む画素のうちの互いに異なる基本色を示す三つの着色画素ＰＸ＿１、ＰＸ＿２、ＰＸ＿３を含むことができ、第３ドットＤｏｔ＿３は第３ビッグ画素ＰＢが含む画素のうちの互いに異なる基本色を示す三つの着色画素ＰＸ＿１、ＰＸ＿２、ＰＸ＿３を含むことができる。この時、第１ドットＤｏｔ＿１が含む第１着色画素ＰＸ＿１は融合ビッグ画素ＰＣに含まれ、第２ドットＤｏｔ＿２が含む第２着色画素ＰＸ＿２は融合ビッグ画素ＰＣに含まれ、第３ドットＤｏｔ＿３が含む第３着色画素ＰＸ＿３は融合ビッグ画素ＰＣに含まれてもよい。
【０１０２】
各ドットＤｏｔ＿１、Ｄｏｔ＿２、Ｄｏｔ＿３はそれぞれの映像信号に対応する映像を表示することができる。また、白色画素ＰＸ＿Ｗも共に駆動され得る。したがって、白色画素ＰＸ＿Ｗのオン／オフを調節して映像の輝度および／または白色の色座標を多様に調節することができる。
【０１０３】
以上、本発明の好ましい実施形態について詳細に説明したが、本発明の権利範囲はこれに限定されるのではなく、次の請求範囲で定義している本発明の基本概念を用いた当業者の様々な変形および改良形態も本発明の権利範囲に属するのである。
【符号の説明】
【０１０４】
１：表示パネル
１９１：画素電極
ＤＬ、ＤＬ１、ＤＬ２：データ線
Ｄｏｔ：ドット
ＧＬ、ＧＬ１、ＧＬ２：ゲート線
ＬＤｏｔ：ビッグドット
ＰＸ＿１、ＰＸ＿２、ＰＸ＿３：着色画素
ＰＣ：融合ビッグ画素
ＰＲ、ＰＧ、ＰＢ、ＰＷ：ビッグ画素
ＰＸ＿Ｗ：白色画素
Ｑ：スイッチング素子
【図１】
2016126337.tif 000003
【図２】
2016126337.tif 000004
【図３】
2016126337.tif 000005
【図４】
2016126337.tif 000006
【図５】
2016126337.tif 000007
【図６】
2016126337.tif 000008
【図７】
2016126337.tif 000009
【図８】
2016126337.tif 000010
【図９】
2016126337.tif 000011
【図１０】
2016126337.tif 000012
【図１１】
2016126337.tif 000013
【図１２】
2016126337.tif 000014
【図１３】
2016126337.tif 000015
【図１４】
2016126337.tif 000016
【図１５】
2016126337.tif 000017
【図１６】
2016126337.tif 000018
【図１７】
2016126337.tif 000019
【図１８】
2016126337.tif 000020
【図１９】
2016126337.tif 000021
【図２０】
2016126337.tif 000022